(57)【要約】【課題】主被写体領域を精度良く特定することが可能な技術を提供する。【解決手段】撮像装置１Ａは、フラッシュの発光をともなう本撮影画像と、フラッシュの発光をともなわない予備撮影画像とを撮影する撮影手段と、本撮影画像と予備撮影画像とにおいて、対応する画素間の差分値を取得する画像比較部１２３と、撮影手段による撮影領域から、主被写体の顔領域を検出する被写体検出部１２２と、被写体検出部１２２による顔検出結果を用いて、撮影領域に含まれる各画素に対して、差分値に応じた画像処理を施す画像処理手段とを備える。【選択図】図５
2009302747.tif 000002
【特許請求の範囲】
【請求項１】
フラッシュの発光をともなう第１の撮影画像と、フラッシュの発光をともなわない第２の撮影画像とを撮影する撮影手段と、
前記第１の撮影画像と前記第２の撮影画像とにおいて、対応する画素間の差分値を取得する差分手段と、
前記撮影手段による撮影領域から、主被写体の顔領域を検出する検出手段と、
前記検出手段による顔検出結果を用いて、前記撮影領域に含まれる各画素に対して、前記差分値に応じた画像処理を施す画像処理手段と、
を備える撮像装置。
【請求項２】
前記画像処理手段は、
前記撮影領域に含まれる画素が、前記顔領域を内包する所定領域に含まれる場合は、当該画素に対して、他の画素とは異なる画像処理を施す請求項１に記載の撮像装置。
【請求項３】
前記画像処理手段は、
前記撮影領域を前記差分値および前記顔検出結果に応じて複数の領域に分割する分割手段と、
前記複数の領域ごとに、補正係数を設定する設定手段と、
前記補正係数に応じて、前記複数の領域ごとに輝度の補正を行う輝度補正手段と、
を備える請求項２に記載の撮像装置。
【請求項４】
前記分割手段は、
前記各画素の前記差分値と所定の閾値とを比較することによって、前記撮影領域を分割する請求項３に記載の撮像装置。
【請求項５】
前記所定の閾値は、前記フラッシュの発光量に応じて算出される請求項４に記載の撮像装置。
【請求項６】
前記撮影手段は、本撮影を行い、
前記第１の撮影画像を撮影する際の前記フラッシュの発光量は、前記本撮影の際のフラッシュの発光量よりも多い請求項１に記載の撮像装置。
【請求項７】
フラッシュの発光をともなう第１の撮影画像と、フラッシュの発光をともなわない第２の撮影画像とにおいて、対応する画素間の差分値を取得する差分手段と、
前記第１の撮影画像または前記第２の撮影画像における撮影領域から、主被写体の顔領域を検出する検出手段と、
前記検出手段による顔検出結果を用いて、前記撮影領域に含まれる各画素に対して、前記差分値に応じた画像処理を施す画像処理手段と、
を備える画像処理装置。
【請求項８】
撮像装置に内蔵されたコンピュータに、
ａ）フラッシュの発光をともなう第１の撮影画像と、フラッシュの発光をともなわない第２の撮影画像とを撮影する工程と、
ｂ）前記第１の撮影画像と前記第２の撮影画像とにおいて、対応する画素間の差分値を取得する工程と、
ｃ）前記第１の撮影画像または前記第２の撮影画像における撮影領域から、主被写体の顔領域を検出する工程と、
ｄ）前記ｃ）工程による顔検出結果を用いて、前記撮影領域に含まれる各画素に対して、前記差分値に応じた画像処理を施す工程と、
を実行させるプログラム。
【発明の詳細な説明】
【技術分野】
【０００１】
本発明は、撮影画像の画像処理技術に関する。
【背景技術】
【０００２】
一般に、暗所でフラッシュ撮影を行うと、フラッシュ光の届く主被写体のみが明るく、フラッシュ光の届かない背景領域が暗い撮影画像が取得されることになる。そこで、シャッタースピードを低速にしたスローシンクロ撮影を行えば、暗所においても背景領域の明るさを適正にした撮影画像を取得することが可能になる。
【０００３】
しかし、スローシンクロ撮影では、シャッタースピードが遅く設定されるので、手ブレの発生する可能性が高くなる。
【０００４】
ところで、撮影画像への画像処理手法として、撮影画像において、フラッシュ光の照射によって輝度が上昇する部分を主被写体部分（主被写体領域）として特定し、主被写体領域およびそれ以外の背景部分（背景領域）に対して、それぞれ異なる画像処理を行う技術が提案されている（例えば、特許文献１）。
【０００５】
【特許文献１】特開２００１−９２９５５号公報
【発明の開示】
【発明が解決しようとする課題】
【０００６】
特許文献１のように、主被写体領域と背景領域とを区分することができれば、背景領域に対して明るさを適正にする画像処理を施すことによって、スローシンクロ撮影と同様の効果が得られるとともに、手ブレの影響を低減させることが可能になる。
【０００７】
しかしながら、上記特許文献１に記載の技術では、フラッシュ光の照射による輝度の変化量を用いて主被写体領域と背景領域とが区別されるので、例えば、主被写体における髪部分（髪領域）が背景領域と判断される可能性がある。このように、主被写体領域の特定が精度良く行われず、主被写体領域の一部が背景領域と誤判断されると、背景領域の明るさを適正にする上記画像処理によって、主被写体領域に不適切な画像処理を施すことになる。
【０００８】
そこで、本発明は、主被写体領域を精度良く特定することが可能な技術を提供することを目的とする。
【課題を解決するための手段】
【０００９】
本発明の第１の側面は、撮像装置であって、フラッシュの発光をともなう第１の撮影画像と、フラッシュの発光をともなわない第２の撮影画像とを撮影する撮影手段と、前記第１の撮影画像と前記第２の撮影画像とにおいて、対応する画素間の差分値を取得する差分手段と、前記撮影手段による撮影領域から、主被写体の顔領域を検出する検出手段と、前記検出手段による顔検出結果を用いて、前記撮影領域に含まれる各画素に対して、前記差分値に応じた画像処理を施す画像処理手段とを備える。
【００１０】
また、本発明の第２の側面は、画像処理装置であって、フラッシュの発光をともなう第１の撮影画像と、フラッシュの発光をともなわない第２の撮影画像とにおいて、対応する画素間の差分値を取得する差分手段と、前記第１の撮影画像または前記第２の撮影画像から、主被写体の顔領域を検出する検出手段と、前記検出手段による顔検出結果を用いて、前記撮影領域に含まれる各画素に対して、前記差分値に応じた画像処理を施す画像処理手段とを備える。
【発明の効果】
【００１１】
本発明によれば、主被写体領域の特定を精度良く行うことが可能になる。
【発明を実施するための最良の形態】
【００１２】
以下、本発明の実施形態について図面を参照して説明する。
【００１３】
＜１．第１実施形態＞
＜構成＞
図１および図２は、本発明の第１実施形態に係る撮像装置１Ａの外観構成を示す図である。ここで、図１は、撮像装置１Ａの正面外観図であり、図２は、撮像装置１Ａの背面外観図である。この撮像装置１Ａは、レンズ交換式一眼レフレックスタイプのデジタルカメラとして構成されている。
【００１４】
図１に示すように、撮像装置１Ａは、撮像装置本体（カメラ本体部）２を備えている。このカメラ本体部２に対して、交換式の撮影レンズユニット（単に、「撮影レンズ」または「交換レンズ」とも称する）３が着脱可能である。
【００１５】
撮影レンズ３は、主として、鏡胴１０１、ならびに、鏡胴１０１の内部に設けられるレンズ群３７（図３参照）および絞り（不図示）等によって構成される。レンズ群３７には、光軸方向に移動することによって焦点位置を変更するフォーカスレンズ等が含まれている。
【００１６】
カメラ本体部２は、撮影レンズ３が装着される円環状のマウント部Ｍｔを正面略中央に備え、撮影レンズ３を着脱するための着脱ボタン８９を円環状のマウント部Ｍｔ付近に備えている。
【００１７】
また、カメラ本体部２は、その正面左上部にモード設定ダイアル８２を備え、その正面右上部に制御値設定ダイアル８６を備えている。モード設定ダイアル８２を操作することによって、カメラの各種モード（各種撮影モード（人物撮影モード、風景撮影モード、および連続撮影モード等）、撮影した画像を再生する再生モード、および外部機器との間でデータ交信を行う通信モード等を含む）の設定動作（切替動作）を行うことが可能である。また、制御値設定ダイアル８６を操作することによれば、各種撮影モードにおける制御値を設定することが可能である。
【００１８】
また、カメラ本体部２は、正面左端部にユーザが把持するためのグリップ部１４を備えている。グリップ部１４の上面には露光開始を指示するためのレリーズボタン（シャッターボタン）１１が設けられている。グリップ部１４の内部には電池収納室とカード収納室とが設けられている。電池収納室にはカメラの電源として、例えば４本の単３形乾電池が収納されており、カード収納室には撮影画像の画像データを記録するための記録媒体（ここでは、メモリカード９０（図５参照））が着脱可能に収納されるようになっている。
【００１９】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作およびＡＥ制御動作等）が行われる。また、レリーズボタン１１がさらに押し込まれてＳ２状態になると、当該本撮影画像の撮影動作（撮像素子（「主撮像素子」とも称する）５（後述）を用いて被写体像に関する露光動作を行い、その露光動作によって得られた画像信号に所定の画像処理を施す一連の本撮影動作）が行われる。
【００２０】
図２において、カメラ本体部２の背面の略中央には、表示部としてモニタ１２が設けられている。モニタ１２は、例えばカラー液晶ディスプレイ（ＬＣＤ）として構成される。モニタ１２は、撮影条件等を設定するためのメニュー画面を表示したり、再生モードにおいてメモリカード９０に記録された撮影画像を再生表示したりすることができる。
【００２１】
カメラ本体部２の背面略中央上部には、ファインダ窓１０が設けられている。ファインダ窓１０には、撮影レンズ３からの被写体像が導かれ、ユーザは、ファインダ窓１０を覗くことによって、主撮像素子５によって取得される被写体像と等価な像を視認することができる。具体的には、撮影光学系に入射された被写体像は、ミラー機構６(図３参照)で上方に反射され、接眼レンズ６７を介して視認される。このように、ユーザは、ファインダ窓１０を覗くことによって構図決めを行うことが可能である。なお、レリーズボタン１１のＳ２状態の検出によって本撮影動作が開始されると、ミラー機構６は被写体像を形成する光（被写体光）の光路から待避し、撮影レンズ３からの光（被写体像を形成する光）が主撮像素子５に到達し、被写体に係る撮影画像（画像データ）が得られる。
【００２２】
ファインダ窓１０の下部には、接眼検知センサ１３が設けられている。接眼検知センサ１３は、近接物体の有無を検知するセンサであり、ユーザによる光学ファインダ使用の有無を検知する。
【００２３】
モニタ１２の左上部にはメインスイッチ８１が設けられている。メインスイッチ８１は、２点のスライドスイッチからなり、接点を左方の「ＯＦＦ」位置に設定すると、撮像装置１Ａの電源がオフになり、接点を右方の「ＯＮ」位置に設定すると、撮像装置１Ａの電源がオンになる。
【００２４】
フラッシュ発光部９１は、ポップアップ式の内蔵フラッシュとして構成されている。
【００２５】
モニタ１２の右側には方向選択キー８４と表示切替スイッチ９とが設けられている。方向選択キー８４は、円形の操作ボタンを有し、この操作ボタンにおける上下左右の４方向の押圧操作と、右上、左上、右下および左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
表示切替スイッチ９は、３点のスライドスイッチからなる。表示切替スイッチ９の接点が上段の「光学」位置に設定されると光学ビューファインダモード（「ＯＶＦモード」とも称する）が選択され、光学ファインダ視野内に被写体像が表示される。これにより、ユーザは、ファインダ窓１０を介して光学ファインダ視野内の被写体像を視認して、構図決め操作（「フレーミング」とも称する）を行うことが可能になる。
【００２７】
また、表示切替スイッチ９の接点が下段の「液晶」位置に設定されると電子ビューファインダモード（「ＥＶＦモード」とも称する）が選択され、モニタ１２において被写体像に係るライブビュー画像が動画的態様にて表示（ライブビュー表示）される。これにより、ユーザは、モニタ１２に表示されるライブビュー画像を視認することによって、フレーミングを行うことが可能になる。
【００２８】
また、表示切替スイッチ９の接点が中段の「自動」位置に設定されると、ファインダ窓１０への接眼の有無に応じて、光学ファインダ視野内の表示（「ＯＶＦ表示」とも称する）とライブビュー表示とが自動的に切り替えられる。これにより、ユーザは、撮像装置１Ａの使用態様に応じて、光学ファインダ視野内の表示、或いはライブビュー表示のいずれかを視認して、フレーミングを行うことが可能となる。
【００２９】
モニタ１２の左側には、メニュー画面の設定、画像の削除などを行うための複数のボタンからなる設定ボタン群８３が設けられている。
【００３０】
次に、撮像装置１Ａの内部構成について説明する。図３および図４は、第１実施形態に係る撮像装置１Ａの縦断面図である。
【００３１】
図３に示すように、撮像装置１Ａの内部には、ファインダ部（「ファインダ光学系」とも称する）１０２、ミラー機構６、位相差ＡＦモジュール（以下、単にＡＦモジュールとも称する）２０、シャッタ４、主撮像素子５、および副撮像素子７などが備えられている。
【００３２】
主撮像素子（ここではＣＣＤセンサ（単にＣＣＤとも称する））５は、撮影レンズ３が備えているレンズ群３７の光軸Ｌ上において、光軸Ｌに対して垂直な平面内に配置される。主撮像素子５は、その撮像面で受光された被写体像を光電変換作用により電気的信号に変換して、本撮影画像に係る画像信号を生成する。
【００３３】
主撮像素子５の直前には、シャッタ４が配置されている。このシャッタ４は、上下方向に移動する幕体を備え、光軸Ｌに沿って主撮像素子５に導かれる被写体光の光路開口動作および光路遮断動作を行うメカニカルフォーカルプレーンシャッタである。
【００３４】
また、図３に示されるように、撮影レンズ３から主撮像素子５に至る光路（「撮影光路」とも称する）上には、ミラー機構６が設けられている。
【００３５】
ミラー機構６は、撮影光学系からの光を上方に向けて反射する主ミラー６１（主反射面）を有している。この主ミラー６１は、例えばその一部または全部がハーフミラーとして構成され、撮影光学系からの光の一部を透過させる。また、ミラー機構６は、主ミラー６１を透過した光を下方に反射させるサブミラー６２（副反射面）をも有している。
【００３６】
また、ミラー機構６は、所謂クイックリターンミラーとして構成されており、ミラーダウン状態とミラーアップ状態との間で姿勢を切り替えることが可能である。
【００３７】
具体的には、撮影モードにおいてレリーズボタン１１が全押し状態Ｓ２にされるまで、換言すれば構図決めの際には、ミラー機構６はミラーダウン状態となるように配置される（図３参照）。そして、ミラーダウン状態では、撮影レンズ３からの被写体光は、主ミラー６１で上方に反射され観察用光束としてファインダ部（「ファインダ光学系」とも称する）１０２に入射する。
【００３８】
また、被写体光の一部は、主ミラー６１を透過し、サブミラー６２によって下方に反射され、ＡＦモジュール２０へと導かれる。
【００３９】
ＡＦモジュール２０は、被写体のピント情報（「測距情報」とも称する）を検出するラインセンサ（焦点検出センサ）等によって構成され、所謂ＡＦセンサとして機能する。具体的には、ＡＦモジュール２０は、撮影領域に設定された測距エリア（「フォーカスエリア」または「ＡＦエリア」とも称する）における被写体からの光を受光して、被写体像の合焦度合いに応じた位相差検出信号を発生させる位相差検出機能を有している。すなわち、撮影待機時におけるミラーダウン状態においては、ＡＦモジュール２０に導かれる被写体光に基づいて、ＡＦモジュール２０から位相差検出信号が出力される。
【００４０】
このようにＡＦモジュール２０は、撮影領域の所定位置に固定的に設定されたＡＦエリアから、撮影情報としての測距情報を取得する撮影情報取得手段として機能する。
【００４１】
一方、レリーズボタン１１が全押し状態Ｓ２にされると、ミラー機構６はミラーアップ状態（図４参照）となるように駆動され、露光動作が開始される。
【００４２】
具体的には、図４に示すように、露光時には、ミラー機構６は、回転軸６３を支点として上方に向けて跳ね上がり、撮影光路から待避する。詳細には、撮影光学系からの光を遮らないように主ミラー６１とサブミラー６２とが上方に待避し、撮影レンズ３からの光がシャッタ４の開放タイミングに合わせて主撮像素子５に到達する。主撮像素子５は、光電変換によって、受光した光束に基づいて被写体像に関する画像信号を生成する。このように、被写体からの光が撮影レンズ３を介して主撮像素子５に導かれることによって、被写体に係る撮影画像（撮影画像データ）が得られる。
【００４３】
＜機能ブロック＞
次に、撮像装置１Ａの機能の概要について説明する。図５は、第１実施形態に係る撮像装置１Ａの機能構成を示すブロック図である。
【００４４】
図５に示されるように、撮像装置１Ａは、位相差ＡＦモジュール２０、操作部８０、全体制御部１００、フラッシュ回路９２、ミラー機構６、シャッタ４、主撮像素子５、Ａ／Ｄ変換回路５２、デジタル信号処理回路５０、および画像メモリ５６等を備える。
【００４５】
操作部８０は、レリーズボタン１１（図１参照）を含む各種ボタンおよびスイッチ等を備えて構成される。操作部８０に対するユーザの入力操作に応答して、全体制御部１００が各種動作を実現する。
【００４６】
フラッシュ回路９２は、フラッシュ発光部９１の発光量を、全体制御部１００により設定された発光量に制御するものである。
【００４７】
主撮像素子５は、タイミング制御回路（不図示）から入力される駆動制御信号（蓄積開始信号および蓄積終了信号）に応答して、受光面（撮像面）に結像された被写体像の露光（光電変換による電荷蓄積）を行い、当該被写体像に係る画像信号を生成する。
【００４８】
主撮像素子５で取得された画像信号（アナログ信号）は、Ａ／Ｄ変換回路５２によってデジタル信号に変換される。デジタル信号に変換された画像信号は、デジタル信号処理回路５０に入力される。
【００４９】
デジタル信号処理回路５０は、Ａ／Ｄ変換回路５２から入力される画像信号に対してデジタル信号処理を施す。具体的には、黒レベル補正処理、ホワイトバランス（ＷＢ）処理、γ補正処理等の信号処理を行う。当該信号処理後の画像信号（画像データ）は、画像メモリ５６に格納される。
【００５０】
画像メモリ５６は、生成された画像データを一時的に記憶するための、高速アクセス可能なメモリであり、複数フレーム分の画像データを記憶可能な容量を有している。
【００５１】
本撮影時には、画像メモリ５６に一時記憶される画像データは、全体制御部１００において適宜画像処理（圧縮処理等）が施された後、メモリカード９０に記憶される。
【００５２】
副撮像素子７は、基本的には主撮像素子５と同様の機能を有し、いわゆるライブビュー画像取得用（電子ファインダ用）の撮像素子（補助撮像素子）としての役割を果たす。具体的には、副撮像素子７は、ファインダ光学系に導かれた被写体像の露光を行い、ライブビュー表示用の画像に関する画像信号を取得する。なお、副撮像素子７は、ライブビュー用の画像信号を生成するための解像度を有していればよく、通常、主撮像素子５よりも少ない数の画素で構成される。
【００５３】
副撮像素子７によって取得された画像データは、Ａ／Ｄ変換回路５２およびデジタル信号処理回路５０において所定の処理が実行され画像メモリ５６に一旦記憶された後、モニタ１２に表示される。
【００５４】
全体制御部１００は、マイクロコンピュータとして構成され、主にＣＰＵ，ＲＡＭ１２０Ａ、およびＲＯＭ１２０Ｂ等を備える。全体制御部１００は、ＲＯＭ１２０Ｂ内に格納されたプログラムを読み出し、当該プログラムをＣＰＵで実行することによって、各種機能を実現する。
【００５５】
全体制御部１００は、上述のプログラムの実行によって、位相差ＡＦ制御部１２１、被写体検出部１２２、画像比較部１２３、領域判定部１２４、補正係数決定部１２５、および表示制御部１２６等を機能的に実現する。
【００５６】
なお、画像比較部１２３、領域判定部１２４、および補正係数決定部１２５によって実現される各種機能は、階調圧縮モードにおいて用いられる。階調圧縮モードは、フラッシュ発光をともなう撮影において取得された本撮影画像の階調調整を行うモードである。階調圧縮モードと通常の撮影モードとの切替は、メニュー画面を用いたユーザ操作（メニュー操作）、または専用のボタン（ボタン不図示）操作等によって行われる。
【００５７】
位相差ＡＦ制御部１２１は、位相差方式による自動合焦（ＡＦ）動作（「位相差ＡＦ」とも称する）を行う。具体的には、位相差ＡＦ制御部１２１は、ＡＦモジュール２０から出力される位相差検出信号に基づいて、合焦時のフォーカスレンズの位置（レンズ合焦位置）を特定するレンズ合焦位置特定動作を行う。
【００５８】
また、位相差ＡＦ制御部１２１は、レンズ合焦位置にフォーカスレンズを移動させるレンズ駆動動作をも実行する。
【００５９】
具体的には、位相差ＡＦ制御部１２１は、撮影レンズ３のレンズ側制御部３１に制御信号を伝達し、レンズ駆動部３８を駆動させ、撮影レンズ３のレンズ群３７に含まれるフォーカスレンズを光軸方向に移動させる。また、フォーカスレンズの位置は、撮影レンズ３のレンズ位置検出部３９によって検出され、フォーカスレンズの位置を示すデータがレンズ側制御部３１からカメラ本体部２の全体制御部１００に送られる。
【００６０】
被写体検出部１２２は、副撮像素子７によって取得された撮影画像（補助画像）および主撮像素子５によって取得された撮影画像（本実施形態では、本撮影画像）から、特定被写体を検出する被写体検出動作を行う。ここでは、人物の顔（「顔領域」とも称する）を特定被写体とし、顔領域を補助画像および本撮影画像から検出する顔検出動作が実行される。
【００６１】
顔領域の検出手法としては、例えば、撮影画像における各画素の画素値に基づいて、画像の肌色部分を抽出し、この肌色部分の面積が予め設定された閾値以上であった場合に、その肌色部分を含む領域を顔領域として検出する手法を採用してもよい。或いは、周知のパターン認識技術を用いて、目や口などの顔の特定部分を抽出することで、顔領域を検出する手法を採用してもよい。
【００６２】
補助画像における顔検出動作は、副撮像素子７によって順次に取得される補助画像のうち、数フレームおきの補助画像を用いて実行される。顔領域が検出されると、顔位置表示がライブビュー画像において行われる。また、補助画像から検出された顔領域は、本撮影画像の階調圧縮処理に用いられる。
【００６３】
本撮影画像における顔検出動作は、階調圧縮モードが選択され、かつフラッシュ発光を伴う本撮影動作が行われた際に実行される。そして、本撮影画像から検出された顔領域は、本撮影画像の階調圧縮処理に用いられる。
【００６４】
機能部の説明（図５）に戻って、画像比較部１２３は、階調圧縮モードにおいて、補助画像と本撮影画像との差分画像（差分データ）を取得する。具体的には、補助画像と本撮影画像とを比較して、対応する画素間の輝度の差分値（「輝度差分値」または単に「差分値」とも称する）ＢＶを取得する。
【００６５】
領域判定部１２４は、階調圧縮モードにおいて、差分値の大きさに応じて、当該差分値を有する画素がいかなる領域に属するのかの判定を行い、画素ごとに領域情報を算出する。これにより、本撮影画像を構成する各画素が、類似の輝度差分値ＢＶを有する画素ごとに分類される。
【００６６】
補正係数決定部１２５は、階調圧縮モードにおいて、領域情報に基づいて、本撮影画像における各画素の輝度の階調を補正する補正係数を決定する。
【００６７】
表示制御部１２６は、モニタ１２などの表示部における表示内容を制御する。例えば、表示制御部１２６は、副撮像素子７によって連続的に取得される撮影画像に基づいて、モニタ１２に連続的な画像を表示させる。
【００６８】
＜構図決め動作（フレーミング動作）について＞
次に、撮像装置１Ａにおける構図決め動作について説明する。上述のように、撮像装置１Ａでは、ユーザは、表示切替スイッチ９のスライド操作によって、ＯＶＦモードで光学ファインダを利用して構図決めを行うか、ＥＶＦモードで電子ファインダを利用して構図決めを行うかを選択することができる。図６は、ＥＶＦモードにおける撮像装置１Ａの縦断面図である。
【００６９】
構図決めの際には、ミラー機構６はミラーダウン状態となるように配置される（図３および図６参照）。上述のように、ミラーダウン状態では、撮影レンズ３からの被写体像は、主ミラー６１で上方に反射され観察用光束としてファインダ部１０２に導かれる。
【００７０】
ファインダ部１０２は、ペンタミラー６５、接眼レンズ６７、アイピースシャッター６８、ファインダ窓１０、測光素子６６、結像レンズ６９、および副撮像素子７等を備えている。
【００７１】
ペンタミラー６５は、複数のミラー（反射面）を有しており、反射によって被写体像の天地左右を入れ替えて正立像にする機能および被写体光の光路を変更する機能を有している。
【００７２】
具体的には、ペンタミラー６５は、三角屋根状に形成された２面のミラー（ダハミラー）６５ａ，６５ｂと、当該ダハミラー（ダハ面）６５ａ，６５ｂに対して固定された面６５ｃと、光路変更ミラー（反射面）６５ｅとを有している。
【００７３】
ダハミラー６５ａ，６５ｂは、プラスチック成型により一体部品６５ｄとして形成され、被写体光を２回反射させることによって被写体像の姿勢を反転させる機能を有している。光路変更ミラー６５ｅは、光学ファインダおよび電子ファインダのいずれを採用して構図決めを行うかに応じて、被写体光の光路を変更する機能を有している。
【００７４】
接眼レンズ６７は、ペンタミラー６５により正立像にされた被写体像をファインダ窓１０の外側に導く機能を有している。
【００７５】
アイピースシャッター６８は、接眼レンズ６７とファインダ窓１０との間に設けられ、ファインダ窓１０から撮像装置１Ａ内に進入する外光を遮断する遮光状態と、ファインダ窓１０からの外光を遮らない非遮光状態との間で状態切替が可能な遮光（シャッター）手段として機能する。例えば、ＥＶＦモードでは、アイピースシャッター６８は遮光状態となり、ＯＶＦモードでは、非遮光状態となる。
【００７６】
測光素子６６は、ファインダ部１０２に入射された観察用光束の一部を受光し、被写体の明るさ、すなわち被写体の輝度（「被写体輝度」とも称する）に関する測光信号（測光値）を生成（出力）する。
【００７７】
測光素子６６では、受光部が複数のエリア（「測光領域」または「測光エリア」とも称する）に分割されており、各測光エリアについて個別に測光値が得られるようになっている。
【００７８】
以下では、光学ファインダを用いたフレーミング動作および電子ファインダを用いたフレーミング動作それぞれについて詳述する。
【００７９】
まず、光学ファインダを用いたフレーミング動作について説明する。
【００８０】
図３に示すように、ＯＶＦモードでは、ミラー機構６が、撮影レンズ３からの被写体像の光路上に配置され、被写体像が主ミラー６１とペンタミラー６５と接眼レンズ６７とを順に介してファインダ窓１０へと導かれる。
【００８１】
より詳細には、撮影レンズ３を通過した被写体光は、主ミラー６１で上方に反射され、焦点板６４に結像する。焦点板６４に結像した被写体光は、当該焦点板６４を通過し、ペンタミラー６５で進路変更された後に、接眼レンズ６７を通ってファインダ窓１０へ向かう（図３の光路ＰＡ参照）。このように光路ＰＡに沿って、ファインダ窓１０に導かれた被写体像は、ユーザ（観察者）の眼へ到達して視認される。
【００８２】
このようにＯＶＦモードでは、ユーザは、ファインダ窓１０を覗くことによって、ファインダ視野内に表示された被写体像を視認し、構図決めを行うことができる。
【００８３】
次に、電子ファインダを用いたフレーミング動作について説明する。
【００８４】
図６に示すように、ＥＶＦモードでは、ミラー機構６は、撮影レンズ３からの被写体像の光路上に配置される。そして、撮影レンズ３を通過した被写体光は、主ミラー６１で上方に反射され、焦点板６４に結像する。焦点板６４に結像した被写体光は、焦点板６４を通過し、ペンタミラー６５で進路変更された後に、結像レンズ６９（結像光学系）を介して副撮像素子７の撮像面上で再結像する（図６の光路ＰＢ参照）。
【００８５】
このようにＥＶＦモードでは、被写体像は、ＯＶＦモードにおける光路ＰＡとは異なる光路ＰＢに沿って副撮像素子７に導かれる。
【００８６】
このようなファインダ部１０２における光路変更は、光路変更ミラー６５ｅの角度（カメラ本体部２に対する設置角度）をファインダモードに応じて変更することによって実現される。
【００８７】
具体的には、光路変更ミラー６５ｅは、表示切替スイッチ９のスライド動作に連動して、軸ＡＸ１を中心に回転可能に構成され、ＥＶＦモード（図６参照）では、ＯＶＦモード（図３参照）に比べて軸ＡＸ１を中心に矢印ＹＶの向きに所定角度ＡＮ回動される。
【００８８】
このように、ＥＶＦモードでは、光路変更ミラー６５ｅの姿勢を変更することによって、ファインダ部１０２内の被写体光の光路が変更される。これにより、被写体光は、結像レンズ６９を通過して副撮像素子７に到達する。
【００８９】
上述のように、副撮像素子７は、光路ＰＢに沿って到達した被写体光を受光し、被写体像に係る撮影画像を微小時間間隔（例えば、１／６０秒）で順次に取得する。取得された時系列の撮影画像は、モニタ１２に動画的態様にて順次に表示（ライブビュー表示）される。
【００９０】
これによって、ユーザは、モニタ１２に表示される動画像（ライブビュー画像）を視認して構図決めを行うことが可能になる。
【００９１】
なお、結像レンズ６９、副撮像素子７および測光素子６６は、ＯＶＦモードにおいて光路変更ミラー６５ｅから接眼レンズ６７へと進行する光束を遮らない位置（ここでは、接眼レンズ６７の上方位置）に配置されている。
【００９２】
このように、撮像装置１Ａでは、ファインダ部１０２の光路変更ミラー６５ｅの姿勢を変更することによって被写体光の光路が変更され、ＯＶＦモードとＥＶＦモードとが切り換えられる。
【００９３】
＜階調圧縮モードにおける動作＞
次に、ＥＶＦモードにおいて、階調圧縮モードが選択されている際に実行される撮像装置１Ａの撮影動作について説明する。図７は、階調圧縮モードが選択されている撮像装置１Ａの撮影動作のフローチャートである。図８は、領域分割された本撮影画像ＨＧ１を示す図である。図９は、分割領域と補正係数との関係を示すデータテーブルを示す図である。
【００９４】
図７に示されるように、ステップＳＰ１１では、予備撮影が行われ、予備撮影画像が取得される。本実施形態の撮像装置１Ａでは、ライブビュー画像取得用の副撮像素子７を用いて予備撮影が行われる。より詳細には、副撮像素子７によって順次に取得される補助画像のうち、数フレームおきの補助画像が予備撮影画像として画像メモリ５６に上書きして記憶される。
【００９５】
ステップＳＰ１２では、レリーズボタン１１の押し込み状態に基づいて撮影開始判定が行われる。具体的には、レリーズボタン１１の全押し状態（Ｓ２状態）が検出されると、ステップＳＰ１３に移行する。レリーズボタン１１の全押し状態が検出されなければステップＳＰ１１に移行して、全押し状態が検出されるまでステップＳＰ１１およびステップＳＰ１２の処理が繰り返し実行される。
【００９６】
ステップＳＰ１３では、本撮影動作が実行される。具体的には、全ての被写体像が主撮像素子５に導かれるミラーアップ状態となり、主撮像素子５による露光が行われる。
【００９７】
ステップＳＰ１４では、ステップＳＰ１３の本撮影においてフラッシュが発光されたか否かが判断される。本撮影の際に、フラッシュが発光された場合は、ステップＳＰ１５に移行し、フラッシュが発光されていない場合は、そのまま撮影動作が終了される。
【００９８】
ステップＳＰ１５では、主撮像素子５または副撮像素子７で撮影された撮影領域を、各画素の輝度値等を用いて複数の領域に分割する領域分割処理が実行される。
【００９９】
例えば、本撮影画像を、背景領域と主被写体の存在領域（「主被写体領域」とも称する）とに分割する場合は、各画素が、主被写体領域に属するのか背景領域に属するのかの所属判別が行われ、撮影領域が分割される。詳細は、後述する。
【０１００】
次のステップＳＰ１６では、補正係数決定部１２５において、分割された領域（「分割領域」とも称する）ごとに、各分割領域に応じた補正係数が設定される。
【０１０１】
補正係数は、例えば、各分割領域と補正係数とが対応づけられたデータテーブルＤＴ１を参照することによって取得され、当該データテーブルＤＴ１は、ＲＯＭ１２０Ｂに予め格納されている。
【０１０２】
例えば、図８に示されるように、ステップＳＰ１５において、本撮影画像ＨＧ１が、主被写体領域ＴＲと背景領域ＢＲ（斜線ハッチング領域）とに分割されたと仮定する。このとき、図９に示されるデータテーブルＤＴ１がＲＯＭ１２０Ｂに格納されていた場合は、主被写体領域ＴＲの補正係数は、「１．０」に設定され、背景領域ＢＲの補正係数は、「１．７」に設定される。
【０１０３】
ステップＳＰ１７では、本撮影画像ＨＧに対して、設定された補正係数に応じて分割領域ごと（画素ごと）に画像処理（詳細には、輝度補正処理）が施される。
【０１０４】
補正係数は、「１．０」を基準にしたときの補正の程度を表しており、補正係数が「１．０」より大きい場合は、分割領域が明るくなるように当該分割領域に含まれる各画素の輝度値を上げる補正処理が行われる。一方、補正係数が「１．０」より小さい場合は、分割領域が暗くなるように当該分割領域に含まれる各画素の輝度値を下げる補正処理が行われる。また、補正係数が「１．０」の場合は、分割領域の輝度補正は実行されない。
【０１０５】
例えば、補正係数が「１．０」に設定された主被写体領域ＴＲでは、補正処理が実行されない（または、補正処理によって主被写体領域ＴＲの各画素の輝度値が１．０倍される）。
【０１０６】
また、補正係数が「１．７」に設定された背景領域ＢＲでは、補正処理によって当該背景領域ＢＲの各画素の輝度値が１．７倍される。
【０１０７】
ここで、領域分割処理（ステップＳＰ１５）について詳述する。図１０は、領域分割処理の詳細を示すフローチャートである。図１１は、差分データＳＧ１が取得される様子を示す概念図である。図１２は、撮像装置１Ａにおいて取得される差分データＳＧ１に関する輝度差分値のヒストグラムを示す図である。図１３は、差分データＳＧ１に関する輝度差分値のヒストグラムと閾値ＴＨとの関係を示す図である。図１４は、本撮影画像において検出された顔領域を示す図である。
【０１０８】
本撮影の際に、フラッシュが発光された場合は、図１０のステップＳＰ５１に移行する。
【０１０９】
ステップＳＰ５１では、被写体検出部１２２によって顔検出動作が実行され、撮影領域から顔領域が検出される。
【０１１０】
ステップＳＰ５２では、画像比較部１２３によって、予備撮影画像ＢＧと本撮影画像ＨＧとの対応する画素間で輝度値の差分が行われ、差分データＳＧ１が取得される（図１１参照）。
【０１１１】
より詳細には、ＲＧＢの原色成分をもつ予備撮影画像ＢＧおよび本撮影画像ＨＧの色空間が、マトリクス演算により輝度成分（Ｙ）（以下、「輝度信号」とも称する）と色差成分（Ｃｒ、Ｃｂ）（「色差信号」とも称する）とをもつ色空間に変換される。
【０１１２】
そして、予備撮影画像と本撮影画像との間で対応する画素同士の輝度信号（輝度値）の差分が行われ、画素ごとに輝度差分値ＢＶが算出される。
【０１１３】
なお、差分値ＢＶの算出に際して、予備撮影画像と本撮影画像との間で画素数が異なる場合は、画素数を一致させる調整処理（例えば、画素の間引き処理、画像の縮小処理または補間処理）が差分値の算出前に実行される。
【０１１４】
図１１に示されるように、予備撮影画像ＢＧでは、主被写体ＭＨの存在領域（「主被写体領域」とも称する）ＴＲおよび背景領域はともに暗くなる。
【０１１５】
一方、フラッシュ発光をともなう本撮影画像ＨＧでは、予備撮影画像ＢＧと比較して、フラッシュ光が届かない背景領域（「遠背景領域」とも称する）は同様に暗いが、フラッシュ光が若干届く背景領域（「近背景領域」とも称する）は若干明るくなる。また、主被写体領域ＴＲは明るく、主被写体ＭＨの髪部分の領域（髪領域）ＨＲは若干明るくなる。
【０１１６】
このため、予備撮影画像ＢＧと本撮影画像ＨＧとの差分データＳＧ１においては、遠背景領域の差分値は小さく、近背景領域および髪領域ＨＲの差分値は、遠背景領域の差分値より若干大きく、主被写体領域ＴＲの差分値は、近背景領域の差分値より大きくなる。
【０１１７】
ここで、差分データＳＧ１に含まれる各画素を輝度差分値ＢＶの大きさに基づいて分類すると、画素の分布は、例えば、図１２のように輝度差分値ＢＶの特定範囲ＲＮ１〜ＲＮ３ごとに偏ったものとなる。
【０１１８】
図１２において、特定範囲ＲＮ１内の輝度差分値ＢＶを有する画素の群ＧＧ１には、主被写体ＭＨから比較的遠い位置に存在する遠背景領域の画素が多く含まれている。なお、遠背景領域は、フラッシュの発光によって輝度が変化しない（上昇しない）領域であることから、「輝度無変領域」（または「輝度非増領域」）ＡＲ１とも称される。
【０１１９】
また、特定範囲ＲＮ２内の輝度差分値ＢＶを有する画素の群ＧＧ２には、主被写体ＭＨから比較的近い位置に存在する近背景領域の画素、および主被写体ＭＨの髪領域ＨＲの画素が多く含まれている。なお、近背景領域および髪領域ＨＲは、フラッシュ光の照射によって輝度が少し変化する（上昇する）領域であることから、「輝度微変領域」（または「輝度微増領域」）とも称される。
【０１２０】
また、特定範囲ＲＮ３内の輝度差分値ＢＶを有する画素の群ＧＧ３には、主被写体ＭＨを構成する主被写体領域（例えば、主被写体ＭＨの体幹領域）の画素が多く含まれている。なお、「主被写体領域」は、フラッシュ光の照射によって輝度が変化する（比較的大幅に上昇する）領域であることから、「輝度変化領域」（または「輝度上昇領域」）とも称される。
【０１２１】
以下のステップＳＰ５３およびステップＳＰ５４では、差分データＳＧ１の各画素が、上記３つの領域（詳細には、輝度無変領域ＡＲ１、輝度微変領域ＡＲ２および輝度変化領域ＡＲ３）のいずれの領域に属する画素であるかを判別する領域判別処理が実行される。
【０１２２】
具体的には、ステップＳＰ５３では、各画素の輝度差分値ＢＶが閾値ＴＨと比較され、画素ごとに比較値ＣＶが算出される。各画素の比較値ＣＶは、輝度差分値ＢＶから閾値ＴＨを引く、式（１）に示される演算を、画素ごとに実行して取得される。
【０１２３】
【数１】
2009302747.tif 000003
【０１２４】
本実施形態では、閾値ＴＨとして、２つの閾値（詳細には、第１閾値ＴＨ１と、第１閾値ＴＨ１よりも大きい第２閾値ＴＨ２）が用いられ、当該２つの閾値ＴＨ１，ＴＨ２それぞれを用いた上記式（１）の演算によって、第１比較値ＣＶ１および第２比較値ＣＶ２が画素ごとに取得される。
【０１２５】
なお、第１閾値ＴＨ１としては、図１３に示されるように、特定範囲ＲＮ１と特定範囲ＲＮ２との間における比較的画素数の少ない輝度差分値が採用される。また、第２閾値ＴＨ２としては、特定範囲ＲＮ２と特定範囲ＲＮ３との間における比較的画素数の少ない輝度差分値が採用される。なお、このような第１閾値ＴＨ１および第２閾値ＴＨ２は、予めＲＯＭ１２０Ｂに記憶され、演算の際にＲＯＭ１２０Ｂから読み出される。
【０１２６】
ステップＳＰ５４では、各画素が、輝度無変領域ＡＲ１、輝度微変領域ＡＲ２および輝度変化領域ＡＲ３のうち、いずれの領域に属するかの領域判定（所属領域判定）が比較値ＣＶ１，ＣＶ２を用いて行われる。
【０１２７】
具体的には、或る画素の第１比較値ＣＶ１が「０」より小さい場合（第１比較値ＣＶ１＜０）は、当該画素は、輝度無変領域ＡＲ１に含まれる画素と判定される（みなされる）。
【０１２８】
また、或る画素の第１比較値ＣＶ１が「０」以上であり、かつ第２比較値ＣＶ２が「０」より小さい場合（第１比較値ＣＶ１≧０かつ第２比較値ＣＶ２＜０）は、当該画素は、輝度微変領域ＡＲ２に含まれる画素と判定される。
【０１２９】
また、或る画素の第２比較値ＣＶ２が「０」以上であった場合（第２比較値ＣＶ２≧０）は、当該画素は、輝度変化領域ＡＲ３に含まれる画素と判定される。
【０１３０】
さらに、ステップＳＰ５４では、ステップＳＰ５１の顔検出結果を用いた領域判定の修正が行われる。
【０１３１】
具体的には、図１４に示されるように、ステップＳＰ５１で顔領域が検出された場合、検出された顔領域を内包する顔内包領域ＳＲが規定され、当該顔内包領域ＳＲに含まれる各画素について所属領域の変更が行われる。より詳細には、顔内包領域ＳＲに含まれる画素が輝度微変領域ＡＲ２の画素であったときは、当該画素は髪領域ＨＲの画素とされる。また、顔内包領域ＳＲに含まれる画素が、輝度変化領域ＡＲ３の画素であったときは、当該画素は、主被写体ＭＨの顔面領域ＧＲの画素とされる。なお、顔内包領域ＳＲに含まれる画素が、輝度無変領域ＡＲ１の画素であったときは、領域判定の修正は行われず、当該画素は、輝度無変領域ＡＲ１の画素のままとされる。
【０１３２】
このように、領域分割処理（ステップＳＰ１５）では、撮影領域から顔領域が検出されるとともに、予備撮影画像ＢＧと本撮影画像ＨＧとの差分データＳＧ１が取得される。そして、顔検出結果と差分データＳＧ１とに基づいて、差分データＳＧ１における各画素の所属領域が判別され、撮影領域が分割される。
【０１３３】
特に、顔内包領域ＳＲに含まれる画素が輝度微変領域ＡＲ２の画素であったときは、当該画素を髪領域ＨＲの画素と判断することによれば、主被写体ＭＨの髪領域ＨＲを精度良く特定することができるので、髪領域ＨＲと近背景領域とを区別することが可能になる。すなわち、髪領域ＨＲの画素と判断された画素に対しては、近背景領域に含まれる画素とは異なる輝度補正処理が行われることになる。
【０１３４】
なお、領域分割処理では、差分データＳＧ１の各画素の所属領域を判別していたが、予備撮影画像ＢＧまたは本撮影画像ＨＧの各画素についての所属領域を判別してもよい。
【０１３５】
領域分割処理によって差分データＳＧ１の各画素の所属領域が決定され、領域分割されると、次のステップＳＰ１６（既述）において、各領域に応じて補正係数が決定され、ステップＳＰ１７において補正係数に応じた画像処理が本撮影画像の画素ごとに実行される。
【０１３６】
本実施形態では、上述のように、撮影領域が、輝度無変領域ＡＲ１、輝度微変領域ＡＲ２、輝度変化領域ＡＲ３、主被写体ＭＨの髪領域ＨＲおよび主被写体ＭＨの顔面領域ＧＲのうちのいずれかの分割領域に細分化されることになる。
【０１３７】
補正係数は、例えば、輝度無変領域ＡＲ１を「１．０」、輝度微変領域ＡＲ２を「１．７」、輝度変化領域ＡＲ３を「１．０」、主被写体ＭＨの髪領域ＨＲを「１．２」、そして主被写体ＭＨの顔面領域ＧＲを「１．０」と設定してもよい。
【０１３８】
輝度無変領域ＡＲ１の補正係数を「１．０」とし、輝度を上げる補正（輝度上昇補正）を抑制することによれば、遠背景領域に含まれるノイズ成分が輝度上昇補正によって目立ちやすくなることを防ぐことができる。
【０１３９】
また、輝度微変領域ＡＲ２の補正係数を「１．７」に設定することによれば、フラッシュ光が若干届く近背景領域を明るくすることができるので、スローシンクロの効果を発揮した本撮影画像ＨＧを取得することができる。
【０１４０】
また、輝度変化領域ＡＲ３の補正係数を「１．０」とし、輝度上昇補正を抑制することによれば、フラッシュ光の照射によって既に輝度が上昇している領域を過度に明るくしすぎることを防ぐことができる。
【０１４１】
また、主被写体ＭＨの髪領域ＨＲの補正係数を「１．２」に設定することによれば、髪領域ＨＲを過度に明るくすることなく、適度な明るさに補正することができる。
【０１４２】
以上のように、撮像装置１Ａでは、予備撮影画像ＢＧと本撮影画像ＨＧとに基づいて対応する画素間の輝度差分値ＢＶが取得されるとともに、撮影領域における顔領域が検出される。そして、顔領域の検出結果を用いて、撮影領域に含まれる各画素に対して、差分値に応じた画像処理が施される。これによれば、輝度差分値ＢＶを用いて主被写体を特定するだけでなく、輝度差分値ＢＶとは別の顔領域の検出結果を用いて、主被写体領域を特定することができるので、主被写体領域を精度良く特定することが可能になる。
【０１４３】
＜２．第２実施形態＞
次に、本発明の第２実施形態について説明する。
【０１４４】
第１実施形態に係る撮像装置１Ａは、予備撮影画像ＢＧと本撮影画像ＨＧとに基づいて差分データＳＧ１を取得していたが、第２実施形態に係る撮像装置１Ｂは、予備撮影画像ＢＧとプレ撮影画像ＥＧとに基づいて差分データＳＧ２を取得する。図１５は、階調圧縮モードが選択されている撮像装置１Ｂの撮影動作のフローチャートである。図１６は、撮像装置１Ｂにおいて取得される差分データＳＧ２に関する輝度差分値のヒストグラムを示す図である。
【０１４５】
なお、第２実施形態に係る撮像装置１Ｂは、本撮影前にプレ撮影を行う点以外は、第１実施形態に係る撮像装置１Ａとほぼ同様の構成および機能（図１〜図６参照）を有しており、共通する部分については同じ符号を付して説明を省略する。
【０１４６】
図１５に示されるように、撮像装置１Ｂでは、ステップＳＰ２１において、上記ステップＳＰ１１と同様に、副撮像素子７を用いた予備撮影が行われ、予備撮影画像ＢＧが取得される。
【０１４７】
ステップＳＰ２２では、ステップＳＰ１２と同様に、レリーズボタン１１の押し込み状態に基づいて撮影開始判定が行われる。具体的には、レリーズボタン１１の全押し状態（Ｓ２状態）が検出されると、ステップＳＰ２３に移行する。レリーズボタン１１の全押し状態が検出されなければステップＳＰ２１に移行して、全押し状態が検出されるまでステップＳＰ２１およびステップＳＰ２２の処理が繰り返し実行される。
【０１４８】
ステップＳＰ２３では、後に実行される本撮影においてフラッシュが使用されるか否かが判断される。フラッシュが使用されない場合は、ステップＳＰ２４に移行し、本撮影動作が実行され、本撮影終了後、撮影動作が終了される。一方、フラッシュが使用される場合は、ステップＳＰ２５に移行する。
【０１４９】
ステップＳＰ２５では、フラッシュ発光を伴ったプレ撮影動作が実行される。具体的には、ミラーアップ状態において、主撮像素子５による露光が行われるとともに、当該露光時に、フラッシュが発光される。プレ撮影時のフラッシュの発光量（「プレ発光量」とも称する）は、本撮影時のフラッシュの発光量（「本発光量」とも称する）よりも多く設定される。
【０１５０】
このように、プレ撮影では、適正露出となるように設定される本撮影時の本発光量よりも多い発光量下で露光が行われ、プレ撮影画像ＥＧが取得される。
【０１５１】
ステップＳＰ２６では、フラッシュ発光を伴う本撮影動作が実行され、本撮影画像ＨＧが取得される。
【０１５２】
ステップＳＰ２７では、図７のステップＳＰ１５（詳細には、図１０の各工程）とほぼ同様の領域分割処理が実行される。
【０１５３】
具体的には、ステップＳＰ２７では、撮影領域における顔領域が検出されるとともに（ステップＳＰ５１）、予備撮影画像ＢＧとプレ撮影画像ＥＧとの差分データＳＧ２が取得される（ステップＳＰ５２）。そして、顔検出結果と差分データＳＧ２とに基づいて、差分データＳＧ２における各画素の所属領域が判別される（ステップＳＰ５３およびステップＳＰ５４）。
【０１５４】
このように、撮像装置１Ｂでは、予備撮影画像ＢＧとプレ撮影画像ＥＧとの対応する画素間で輝度値の差分が行われ、差分データＳＧ２、すなわち各画素の輝度差分値ＢＶが取得される。
【０１５５】
プレ撮影の際のプレ発光量は、本撮影の際の本発光量よりも多いことから、プレ撮影画像ＥＧは、本撮影画像ＨＧよりも明るくなる。このため、プレ撮影画像ＥＧに基づいて取得される差分データＳＧ２の各画素の輝度差分値ＢＶは、本撮影画像ＨＧに基づいて取得される差分データＳＧ１の各画素の輝度差分値よりも大きくなる。このように、輝度差分値が大きくなると、図１６に示されるように、輝度差分値に応じた画素の分布の偏りが顕著になるので、閾値ＴＨを用いた領域の分割精度が向上する。
【０１５６】
図１５に戻って、ステップＳＰ２８では、ステップＳＰ１６と同様に、分割された領域（「分割領域」とも称する）ごとに、各領域に応じた補正係数が設定される。
【０１５７】
ステップＳＰ２９では、ステップＳＰ１７と同様に、設定された補正係数に応じて、分割領域ごとに本撮影画像ＨＧの補正処理が行われる。
【０１５８】
以上のように、第２実施形態に係る撮像装置１Ｂでは、本撮影の際のフラッシュ発光量よりも多い発光量の下で撮影したプレ撮影画像ＥＧを用いて差分データＳＧ２が取得される。これによれば、差分データＳＧ２における各画素の輝度差分値ＢＶが大きくなり、領域の分割精度が向上する。
【０１５９】
＜３．変形例＞
以上、この発明の実施の形態について説明したが、この発明は、上記に説明した内容に限定されるものではない。
【０１６０】
例えば、上記第１実施形態では、画素の所属判別に用いる閾値ＴＨは、予めＲＯＭ１２０Ｂに記憶された値を用いていたが、これに限定されない。
【０１６１】
具体的には、フラッシュの発光量に応じて、輝度差分値ＢＶが変化することから、ＲＯＭ１２０Ｂに記憶された閾値ＴＨの基準値に基づいて、フラッシュの発光量に適応した閾値ＴＨ１１，ＴＨ１２を算出するようにしてもよい。
【０１６２】
このように、フラッシュの発光量に応じて閾値ＴＨ１１，ＴＨ１２を算出することによれば、輝度差分値ＢＶの変化に適応した閾値ＴＨ１１，ＴＨ１２を用いて領域分割を行うことができるので、領域分割の精度が向上する。
【０１６３】
また、上記各実施形態では、２つの閾値ＴＨ１，ＴＨ２を用いて、本撮影画像ＨＧ（または予備撮影画像ＢＧ）を３つの領域に区分していたが、これに限定されない。図１７は、差分データＳＧ１に関する輝度差分値のヒストグラムと閾値ＴＨとの関係を示す図である。
【０１６４】
具体的には、図１７に示されるように、３つの閾値ＴＨ１，ＴＨ２，ＴＨ３を用いて、本撮影画像ＨＧを４つの領域に区分してもよい。このように、閾値ＴＨの数を増やすことによれば、領域を細分化することができるので、本撮影画像ＨＧに対してより細かな輝度補正処理を実行することができる。
【０１６５】
また、上記各実施形態では、分割領域単位で輝度補正が行われていたが、これに限定されない。
【０１６６】
具体的には、或る分割領域と他の分割領域との間（分割領域同士の境目）では、補正係数を連続的に変化させてもよい。これによれば、分割領域間の境界での輝度補正量の急変によるトーンジャンプの発生を防止することができる。
【０１６７】
また、上記各実施形態では、副撮像素子７によって取得される予備撮影画像ＢＧを用いて差分データＳＧ１，ＳＧ２を算出していたが、これに限定されない。
【０１６８】
具体的には、測光素子６６によって取得される複数の測光領域における被写体輝度を用いて差分データを算出してもよい。このように、測光素子６６から取得される被写体輝度と、本撮影画像ＨＧ（またはプレ撮影画像ＥＧ）とから差分データを取得することによれば、ＯＶＦモードで撮影された本撮影画像ＨＧに対しても、輝度補正処理を施すことが可能になる。
【０１６９】
また、主撮像素子５でライブビュー表示用の撮影画像が取得される場合は、主撮像素子５によって取得される撮影画像を用いて差分データを算出してもよい。
【０１７０】
また、上記各実施形態では、階調圧縮処理が撮像装置１Ａ，１Ｂ内で実行される場合について例示したが、これに限定されない。
【０１７１】
具体的には、本撮影画像ＨＧ（またはプレ撮影画像ＥＧ）および予備撮影画像ＢＧが入力される画像処理装置において階調圧縮処理を実行してもよい。
【図面の簡単な説明】
【０１７２】
【図１】本発明の第１実施形態に係る撮像装置の外観構成を示す図である。
【図２】本発明の第１実施形態に係る撮像装置の外観構成を示す図である。
【図３】第１実施形態に係る撮像装置の縦断面図である。
【図４】第１実施形態に係る撮像装置の縦断面図である。
【図５】第１実施形態に係る撮像装置の機能構成を示すブロック図である。
【図６】ＥＶＦモードにおける撮像装置の縦断面図である。
【図７】第１実施形態における撮像装置の撮影動作のフローチャートである。
【図８】領域分割された本撮影画像を示す図である。
【図９】分割領域と補正係数との関係を示すデータテーブルを示す図である。
【図１０】領域分割処理の詳細を示すフローチャートである。
【図１１】差分データＳＧ１が取得される様子を示す概念図である。
【図１２】差分データに関する輝度差分値のヒストグラムを示す図である。
【図１３】差分データに関する輝度差分値のヒストグラムと閾値との関係を示す図である。
【図１４】本撮影画像において検出された顔領域を示す図である。
【図１５】第２実施形態における撮像装置の撮影動作のフローチャートである。
【図１６】差分データに関する輝度差分値のヒストグラムを示す図である。
【図１７】差分データに関する輝度差分値のヒストグラムと閾値との関係を示す図である。
【符号の説明】
【０１７３】
１Ａ，１Ｂ  撮像装置
９１  フラッシュ発光部
１２２  被写体検出部
１２３  画像比較部
１２４  領域判定部
１２５  補正係数決定部
ＡＲ１  輝度無変領域
ＡＲ２  輝度微変領域
ＡＲ３  輝度変化領域
ＢＲ  背景領域
ＨＲ  髪領域
ＨＧ，ＨＧ１  本撮影画像
ＢＧ  予備撮影画像
ＥＧ  プレ撮影画像
ＢＶ  輝度差分値（差分値）
ＣＶ，ＣＶ１，ＣＶ２  比較値
ＳＧ１，ＳＧ２  差分データ
ＳＲ  顔内包領域
ＴＨ，ＴＨ１，ＴＨ２，ＴＨ３，ＴＨ１１，ＴＨ１２  閾値
ＴＲ  主被写体領域
【図１】
2009302747.tif 000004
【図２】
2009302747.tif 000005
【図３】
2009302747.tif 000006
【図４】
2009302747.tif 000007
【図５】
2009302747.tif 000008
【図６】
2009302747.tif 000009
【図７】
2009302747.tif 000010
【図８】
2009302747.tif 000011
【図９】
2009302747.tif 000012
【図１０】
2009302747.tif 000013
【図１１】
2009302747.tif 000014
【図１２】
2009302747.tif 000015
【図１３】
2009302747.tif 000016
【図１４】
2009302747.tif 000017
【図１５】
2009302747.tif 000018
【図１６】
2009302747.tif 000019
【図１７】
2009302747.tif 000020